(57)【特許請求の範囲】
【請求項１】
外槽と内槽との間にパーライト粒が充填してあり、且つ外槽の屋根と内槽の屋根とを貫通させて配置した屋根ノズルが内槽屋根に固定してあり、該屋根ノズルが外槽屋根から上方へ突き出る部分の外周位置にエキスパンションを設け、該エキスパンションの内側にグラスウールを充填してなる低温タンクの屋根ノズル保冷装置における上記内槽屋根の外面に、内槽屋根と外槽屋根との間で屋根ノズルの周辺部を取り囲むようにした仕切りを設け、更に、該仕切り内のパーライト粒の上面部と外槽屋根の下面との間にグラスウールを充填した構成を有することを特徴とする低温タンクの屋根ノズル保冷装置。
【請求項２】
エキスパンション内にグラスウールを充填する領域を下端部を除く領域とし、且つ上記下端部領域に発泡材を注入固化させた請求項１記載の低温タンクの屋根ノズル保冷装置。
【請求項３】
外槽と内槽との間にパーライト粒が充填してあり、且つ外槽の屋根と内槽の屋根とを貫通させて配置した屋根ノズルが内槽屋根に固定してあり、該屋根ノズルが外槽屋根から上方へ突き出る部分の外周位置にエキスパンションを設け、該エキスパンションの内側にグラスウールを充填してなる低温タンクの屋根ノズル保冷装置における上記屋根ノズルを、上記エキスパンション内の上端より少し下方に離れた位置から該エキスパンションの下端に至る上下方向の領域を、保温筒で被覆して、上記エキスパンション内のグラスウールが保温筒の外側に位置するようにし、且つ内槽屋根の外面に、内槽屋根と外槽屋根との間で屋根ノズルの周辺部を取り囲むようにした仕切りを設け、更に、該仕切り内のパーライト粒の上面部と外槽屋根の下面との間にグラスウールを充填した構成を有することを特徴とする低温タンクの屋根ノズル保冷装置。
【発明の詳細な説明】
【０００１】
【産業上の利用分野】
本発明は屋根ノズルが貫通する部分の外槽屋根外面への着霜を防止できるようにした低温タンクの屋根ノズル保冷装置に関するものである。
【０００２】
【従来の技術】
ＬＮＧ等の低温液化ガスを貯蔵する二重殻地上低温タンクは、図５及び図６に概略を示す如く、グランド１上に、固定ブロック２を介しコンクリート製の基礎床版３を据え付けて浮床とし、該基礎床版３上に、底版４ａと側板４ｂと屋根４ｃとからなる外槽４を設置し、且つ該外槽４内の底板４ａ上に、底板５ａと側板５ｂと屋根５ｃとからなる内槽５を、底部冷熱抵抗緩和材６を介して設置し、更に、上記底部冷熱抵抗緩和材６の周辺部上面には、内槽側板５ｂの外周を覆うようにパーライトダイヤフラム７を設置して、側壁部では該パーライトダイヤフラム７と外槽側板４ｂとの間、屋根部では外槽屋根４ｃと内槽屋根５ｃとの間に、保冷材としてのパーライト粒８を充填し、内槽５内に貯蔵した低温液化ガス９を保冷させるようにしてある。
【０００３】
かかる構成としてある低温タンクの屋根部には、屋根ノズル１０が外槽屋根４ｃと内槽屋根５ｃとを貫通して下端が内槽５内まで達するように配置されていて、補強材１２を介して上記内槽屋根５ｃに固定されており、更に、屋根ノズル１０は、内部が内槽５内と同じ温度となることから、該屋根ノズル１０の外槽屋根貫通部位置から上方位置にかけて屋根ノズル保冷装置が設けてある。
【０００４】
従来の屋根ノズル保冷装置は、屋根ノズル１０の外槽屋根貫通部位置から外槽屋根４ｃの上方位置にかけての外周位置に、下端部を外槽屋根４ｃに固定し且つ上端部をトッププレート１１ａを介して屋根ノズル１０の外周面に固定するようにした筒状のエキスパンション１１を配置し、且つ該エキスパンション１１の内側にグラスウール１３を充填し、更に、エキスパンション１１の外周部及びエキスパンション１１よりも上方位置の屋根ノズル１０部の外周にポリウレタンフォーム等の断熱材１４を多層に設けてなる構成としてあり、内槽５内に低温液化ガス９を受け入れたときに生ずる内槽５の熱収縮に伴う外槽屋根４ｃと屋根ノズル１０との上下方向の相対変位を上記エキスパンション１１によって吸収させ、内槽屋根５ｃの半径方向の変位をエキスパンション１１と屋根ノズル１０との間のグラスウール１３によって吸収させるようにしてある。又、屋根ノズル１０の冷熱は、内槽屋根５ｃと外槽屋根４ｃの間のパーライト粒８及びエキスパンション１１内のグラスウール１３により外槽屋根４ｃへ伝わりにくにようにしてある。１４ａはグラスウール圧縮充填部である。
【０００５】
【発明が解決しようとする課題】
ところが、上記二重殻構造の低温タンクの場合、内槽５内に低温液化ガス９を入れることによって内槽５が冷却されて熱収縮が発生すると、屋根部のパーライト粒８が側部へ落下することになって外槽屋根４ｃの下側に空間１５が形成されてしまうことになる。このとき、屋根ノズル１０の外槽屋根貫通部では、内槽５と同じ温度となっている屋根ノズル１０内からの冷熱を、内槽屋根５ｃと外槽屋根４ｃとの間のパーライト粒８と、エキスパンション１１内に充填されているグラスウール１３によって遮断するようになっているが、グラスウール１３は変位吸収能力は優れているもののパーライト粒８に比して断熱性能は低いため、空間１５が生じると空間１５部での断熱性能が更に低下し、又、空間１５が形成されると、グラスウール１３がエキスパンション１１内から抜け落ちてしまう事態も発生し、冷熱が上記エキスパンション１１から外槽屋根４ｃに伝わり易くなったり、冷気が空間１５側へ対流し易くなり、その結果、外槽屋根４ｃの外面に霜１６が付着することになる。この霜１６の付着は、見栄え上の問題だけではなく、塗装を劣化させたり外槽４の低温脆化の原因となる。
【０００６】
そこで、本発明は、内槽が熱収縮することに伴い外槽屋根の下側に空間が形成されても、屋根ノズルの周辺部には空間を形成させずにエキスパンション内からのグラスウールの抜け落ちを防止して外槽屋根の外面に霜が付着することがないような低温タンクの屋根ノズル保冷装置を提供しようとするものである。
【０００７】
【課題を解決するための手段】
本発明は、上記課題を解決するために、外槽と内槽との間にパーライト粒が充填してあり、且つ外槽の屋根と内槽の屋根とを貫通させて配置した屋根ノズルが内槽屋根に固定してあり、該屋根ノズルが外槽屋根から上方へ突き出る部分の外周位置にエキスパンションを設け、該エキスパンションの内側にグラスウールを充填してなる低温タンクの屋根ノズル保冷装置における上記内槽屋根の外面に、内槽屋根と外槽屋根との間で屋根ノズルの周辺部を取り囲むようにした仕切りを設け、更に、該仕切り内のパーライト粒の上面部と外槽屋根の下面との間にグラスウールを充填した構成とする。
【０００８】
又、エキスパンション内にグラスウールを充填する領域を下端部を除く領域とし、且つ上記下端部領域に発泡材を注入固化させた構成とするとよい。
【０００９】
一方、外槽と内槽との間にパーライト粒が充填してあり、且つ外槽の屋根と内槽の屋根とを貫通させて配置した屋根ノズルが内槽屋根に固定してあり、該屋根ノズルが外槽屋根から上方へ突き出る部分の外周位置にエキスパンションを設け、該エキスパンションの内側にグラスウールを充填してなる低温タンクの屋根ノズル保冷装置における上記屋根ノズルの上記エキスパンション内の上端より少し下方に離れた位置から該エキスパンションの下端に至る上下方向の領域を、保温筒で被覆して、上記エキスパンション内のグラスウールが保温筒の外側に位置するようにし、且つ内槽屋根の外面に、内槽屋根と外槽屋根との間で屋根ノズルの周辺部を取り囲むようにした仕切りを設け、更に、該仕切り内のパーライト粒の上面部と外槽屋根の下面との間にグラスウールを充填した構成としてもよい。
【００１１】
【作用】
外槽屋根と内槽屋根との間において、屋根ノズルの周辺部を取り囲むように仕切りを設けると、内槽が熱収縮することに伴って屋根部のパーライト粒が側部へ落下しても、屋根ノズル周辺部のパーライト粒は仕切り内に保持され、且つこの際、仕切りと外槽屋根との間の隙間が仕切り部分のグラスウールにて塞がれることになる。したがって、屋根ノズル周辺部には空間が形成されることがなくてエキスパンション内からのグラスウールの抜け落ちはなく、空間への冷気の対流は起らない。
【００１２】
又、グラスウールが充填されてれいるエキスパンション内の下端部領域に発泡材を注入した場合は、屋根ノズルからエキスパンション内のグラスウールに伝わった冷熱の下降が阻止されることになる。
【００１３】
一方、屋根ノズルを、エキスパンション内の上端より少し下方に離れた位置からエキスパンションの下端に至る範囲にかけて保温筒にて被覆し、更に、内槽屋根と外槽屋根との間で、屋根ノズルの周辺部を仕切りで覆うようにすると、断熱性能がより向上されることになる。
【００１５】
【実施例】
以下、本発明の実施例を図面を参照して説明する。
【００１６】
図１は本発明の一実施例を示すもので、図５及び図６に示したと同様に、外槽４と内槽５との間にパーライト粒８を充填し、且つ外槽屋根４ｃと内槽屋根５ｃとを貫通するように導設した屋根ノズル１０の外槽屋根貫通部位置から外槽屋根４ｃの上方位置にかけての外周位置にエキスパンション１１を配置して、その上端をトッププレート１１ａを介し屋根ノズル１０の外周面に固定し下端を外槽屋根４ｃに固定し、該エキスパンション１１の内側にグラスウール１３が充填してある低温タンクの屋根ノズル保冷装置において、外槽屋根４ｃと内槽屋根５ｃとの間に位置する屋根ノズル１０の周辺部を取り囲む位置に、下端を内槽屋根５ｃに固設するようにして仕切り１７を設けて、該仕切り１７の内側にパーライト粒８を充填して仕切り１７の外のパーライト粒８との縁を切るようにし、且つ該仕切り１７内のパーライト粒８の上面部と外槽屋根４ｃの下面との間にグラスウール１８を圧縮充填して配置し、グラスウール１８が内槽５の熱収縮に伴う仕切り１７の上下方向、径方向の変位に追従させられるようにして、仕切り１７の上下変位時にその上端と外槽屋根４ｃの下面との間に生じる隙間を常時塞げるようにする。その他の構成は図５及び図６に示すものと同じであり、同一のものには同一の符号が付してある。
【００１７】
内槽５が低温液化ガス９を受け入れることにより冷却されて熱収縮すると、それに伴い屋根部のパーライト粒８が側部へ落下することによって外槽屋根４ｃの下側に空間１５が形成されることになるが、この際、屋根ノズル１０の周辺部のパーライト粒８は仕切り１７によって取り囲まれているため、側部への落下が防止される。又、このとき、仕切り１７も内槽５の熱収縮に伴って下方へ変位することになるため、仕切り１７の上端と外槽屋根４ｃの下面との間には隙間が生ずるが、仕切り１７内のパーライト粒８の上面部にはグラスウール１８を詰めてあることから、該グラスウール１８の伸縮作用によって仕切り１７の変位を吸収でき、仕切り１７の上端の隙間からのパーライト粒８のこぼれ落ちが防止される。
【００１８】
したがって、外槽屋根４ｃと内槽屋根５ｃとの間において、屋根ノズル１０の周辺部に空間１５が形成されることはなく、このため、エキスパンション１１内からグラスウール１３が抜け落ちることはなく、屋根ノズル１０からの冷熱が空間１５へ対流することがなくなるので、外槽屋根４ｃの外面への着霜が防止される。
【００１９】
次に、図２は本発明の他の実施例を示すもので、図１に示す実施例と同様な構成において、エキスパンション１１内の上下方向全域にグラスウール１３を充填することに代えて、エキスパンション１１内の下端部領域に上下２枚の仕切り板２０を設けて、この上下の仕切り板２０間に低温発泡材１９を注入して固化させたものである。
【００２０】
図２の実施例の場合には、エキスパンション１１内の下端部領域に発泡材１９が注入してあることから、屋根ノズル１０からエキスパンション１１内のグラスウール１３に伝わった冷気が下へ降りてくることを防止することができ、外槽屋根４ｃへ冷熱を更に伝えにくくすることができる。
【００２１】
又、図３は図５及び図６に示したものと同様な構成において、屋根ノズル１０のエキスパンション１１内の上端より少し下方に離れた位置から内槽屋根５ｃに至る上下方向の領域を、ポリウレタンフォームからなる保温筒２１にて被覆したものである。
【００２３】
図４は本発明の更に別の実施例を示すもので、上記図３に示した構成において、屋根ノズル１０を被覆する保温筒２１を、下端が内槽屋根５ｃに至るようにしてあることに代えて、下端がエキスパンション１１の下端に至る領域となるようにし、且つ図１及び図２に示したと同様に、内槽屋根５ｃの上面の屋根ノズル１０を取り囲む位置に仕切り１７を設けると共に、該仕切り１７内のパーライト粒８の上面部にグラスウール１８を圧縮充填したものである。
【００２４】
図４の実施例の場合には、保温筒２１による冷熱の遮断効果と仕切り１７によるパーライト粒８の側部への落下防止効果とを相剰させることができ断熱性能を更に向上させることができる。
【００２５】
なお、本発明は上記実施例にのみ限定されるものではなく、たとえば、図４の実施例において二点鎖線で示す如く、仕切り１７内の領域全長に至るように保温筒２１を追加してもよいこと、その他本発明の要旨を逸脱しない範囲内において種々変更を加え得ることは勿論である。
【００２６】
【発明の効果】
以上述べた如く、本発明の低温タンクの屋根ノズル保冷構造によれば、次の如き優れた効果を発揮する。
(1) 屋根ノズルが外槽屋根から上方へ突出する部分にグラスウールを充填したエキスパンションを設け、且つ外槽屋根と内槽屋根との間に位置する屋根ノズルの周辺部を取り囲むように内槽屋根の上面に仕切りを設けて、仕切り内のパーライト粒の上面部にグラスウールを詰めたので、内槽が熱収縮することに伴い屋根部のパーライト粒が側部に落下して外槽屋根の下側に空間が形成されたとしても、屋根ノズル周辺部のパーライト粒を仕切り内に保持させることができ、したがって、屋根ノズル周辺部に空間を形成することがないのでエキスパンション内のグラスウールの抜け落ちを防止でき、屋根ノズルからの冷熱を空間に対流させることがなく、外槽屋根の外面への着霜を防止することができる。
(2) エキスパンション内の下端部領域に発泡材を注入することによって、上記仕切りによ  るパーライト粒の落下防止効果に加えて、エキスパンション内のグラスウールに伝わっ  た冷気の下方の伝達を防止することができ、断熱性能を向上することができる。
(3) 屋根ノズルを、エキスパンション内の上端より少し下方へ離れた位置から該エキスパンションの下端に至る上下方向の領域にかけて保温筒にて被覆し、且つ内槽屋根と外槽屋根との間で屋根ノズルの周辺部に仕切りを設けて、仕切り内のパーライト粒の上面部と外槽屋根の下面との間にグラスウールを詰めた構成とすることにより、保温筒による冷熱の遮断効果と仕切りによるパーライト粒落下防止効果との相剰効果によって断熱性能を大幅に向上することができる。
【図面の簡単な説明】
【図１】本発明の低温タンクの屋根ノズル保冷装置の一実施例を示す概要図である。
【図２】本発明の他の実施例を示す概要図である。
【図３】本発明の更に他の実施例を示す概要図である。
【図４】本発明の更に別の実施例を示す概要図である。
【図５】低温タンクの一例を示す概略図である。
【図６】従来の屋根ノズル保冷装置の一例を示す拡大断面図である。
【符号の説明】
４  外槽
４ｃ  屋根
５  内槽
５ｃ  屋根
８  パーライト粒
１０  屋根ノズル
１１  エキスパンション
１５  空間
１７  仕切り
１８  グラスウール
１９  発泡材
２１  保温筒
【図１】
0003546487.tif 000002
【図２】
0003546487.tif 000003
【図３】
0003546487.tif 000004
【図４】
0003546487.tif 000005
【図５】
0003546487.tif 000006
【図６】
0003546487.tif 000007